【手続補正書】
【提出日】平成17年11月21日(2005.11.21)
【手続補正１】
【補正対象書類名】明細書
【補正対象項目名】発明の名称
【補正方法】変更
【補正の内容】
【発明の名称】画像処理方法及びその装置とプログラム及び記憶媒体
【手続補正２】
【補正対象書類名】明細書
【補正対象項目名】特許請求の範囲
【補正方法】変更
【補正の内容】
【特許請求の範囲】
【請求項１】
画像データと該画像データの属性情報とを取得し、
前記画像データから類似度を判定する第１の画像データを指定し、
指定された前記第１の画像データの属性情報と該第１の画像データ以外の残りの画像データの属性情報とを比較して、類似度判定の対象となる第２の画像データを決定し、
類似度判定する前記第１の画像データと類似度判定の対象となる前記第２の画像データとの類似度を判定することを特徴とする画像処理方法。
【請求項２】
前記第２の画像データは、前記第１の画像データの属性情報に含まれる、該画像データ撮影時のカメラのパン角度、チルト角度及びズーム角度と一致しない属性情報を有する画像データを類似度判定の対象から除外した画像データであることを特徴とする請求項１記載の画像処理方法。
【請求項３】
前記類似度の判定では、前記第１及び第２の画像データをそれぞれ複数のブロックに分割し、分割されたそれぞれのブロック毎に、前記第１の画像データと前記第２の画像データとの類似度を判定することを特徴とする請求項１又は２に記載の画像処理方法。
【請求項４】
前記類似度の判定では、前記第１の画像データ内の類似度判定範囲を指定し、前記第１の画像データにおける指定された前記類似度判定範囲と前記第２の画像データにおける前記類似度判定範囲に相当する範囲との類似度を判定することを特徴とする請求項１又は２に記載の画像処理方法。
【請求項５】
前記第１の画像データ内の類似度判定範囲は、前記第１及び第２の画像データをそれぞれ複数のブロックに分割し、分割された一又は複数のブロックを指定することによって指定されることを特徴とする請求項４記載の画像処理方法。
【請求項６】
類似度判定する第１の画像データ及び該第１の画像データ中の類似度判定範囲を指定する指定手段と、
前記指定手段により指定された前記第１の画像データの前記類似度判定範囲と、当該第１の画像データ以外の残りの画像データのうち、前記類似度判定範囲に相当する範囲が含まれる第２の画像データにおける前記範囲を切り出す切り出し手段と、
前記指定手段により指定された前記第１の画像データの前記類似度判定範囲と、前記切り出し手段により切り出された前記第２の画像データにおける該類似度判定範囲に相当する前記範囲との類似度を判定する類似度判定手段と、
を有することを特徴とする画像処理装置。
【請求項７】
画像データと該画像データの属性情報とを取得する取得手段と、
前記画像データを記憶する画像記憶手段と、
前記属性情報を記憶する属性記憶手段と、
類似度判定の対象となる画像データを指定する指定手段と、
前記指定手段により指定された画像データの属性情報と前記属性記憶手段に記憶された前記属性情報間との比較によって類似度判定の対象とならない画像データを制限する制限手段と、
前記指定手段により指定された画像データと前記制限手段で制限されなかった画像データとの類似度を判定する類似度判定手段と、
を備えることを特徴とする画像処理装置。
【請求項８】
前記制限手段は、前記画像データの属性情報に含まれる、該画像データ撮影時のカメラのパン角度、チルト角度及びズーム角度が一致しない属性情報の画像データを類似度判定の対象となる画像データから除外することを特徴とする請求項７記載の画像処理装置。
【請求項９】
前記画像データを複数のブロックに分割する分割手段をさらに備え、
前記類似度判定手段が、分割されたそれぞれのブロック毎に、前記指定手段で指定された画像データと、前記画像記憶手段に記憶されており前記制限手段で制限されなかった画像データとの類似度を判定することを特徴とする請求項７又は８に記載の画像処理装置。
【請求項１０】
類似度判定に用いる画像データ内の範囲を指定する範囲指定手段をさらに備え、
前記類似度判定手段が、前記指定手段で指定された画像データにおける前記範囲と前記画像記憶手段に記憶されており前記制限手段で制限されなかった画像データにおける前記範囲との類似度を判定することを特徴とする請求項７又は８に記載の画像処理装置。
【請求項１１】
前記画像データを複数のブロックに分割する分割手段をさらに備え、
前記範囲指定手段が、分割された一又は複数のブロックを指定することによって、類似度判定に用いる画像データ内の範囲を指定することを特徴とする請求項１０記載の画像処理装置。
【請求項１２】
画像データを取得する取得手段と、
前記画像データを記憶する画像記憶手段と、
類似度判定の対象となる画像データ及び該画像データ中の対象範囲を指定する指定手段と、
前記指定手段により指定された画像データの前記対象範囲と前記記憶手段に記憶された他の画像データのうち、前記対象範囲に相当する範囲が含まれる画像データの該範囲を切り出す切出手段と、
前記指定手段により指定された画像データの前記対象範囲と前記切出手段で切り出された前記範囲との類似度を判定する類似度判定手段と、
を備えることを特徴とする画像処理装置。
【請求項１３】
コンピュータに、
画像データと該画像データの属性情報とを取得する手順と、
前記画像データから類似度判定する第１の画像データを指定する手順と、
指定された前記第１の画像データの属性情報と該第１の画像データ以外の残りの画像データの属性情報とを比較して、類似度判定の対象となる第２の画像データを決定する手順と、
類似度判定する前記第１の画像データと類似度判定の対象となる前記第２の画像データとの類似度を判定する手順と、
を実行させるためのプログラム。
【請求項１４】
請求項１３に記載のプログラムを格納したことを特徴とするコンピュータ読み取り可能な記録媒体。
【手続補正３】
【補正対象書類名】明細書
【補正対象項目名】００１１
【補正方法】変更
【補正の内容】
【００１１】
本発明は、このような事情を考慮してなされたものであり、膨大な画像の中から類似度判定を行う画像の絞り込みを行って、絞り込まれた画像の中からより好適に類似度判定を行うことができる画像処理方法及びその装置を提供することを目的とする。
【手続補正４】
【補正対象書類名】明細書
【補正対象項目名】００１２
【補正方法】変更
【補正の内容】
【００１２】
【課題を解決するための手段】
上記課題を解決するために、本発明に係る画像処理方法は、画像データと該画像データの属性情報とを取得し、前記画像データから類似度を判定する第１の画像データを指定し、指定された前記第１の画像データの属性情報と該第１の画像データ以外の残りの画像データの属性情報とを比較して、類似度判定の対象となる第２の画像データを決定し、類似度判定する前記第１の画像データと類似度判定の対象となる前記第２の画像データとの類似度を判定することを特徴とする。
また上記目的を達成するために本発明の一態様に係る画像処理装置は以下のような構成を備える。即ち、
類似度判定する第１の画像データ及び該第１の画像データ中の類似度判定範囲を指定する指定手段と、
前記指定手段により指定された前記第１の画像データの前記類似度判定範囲と、当該第１の画像データ以外の残りの画像データのうち、前記類似度判定範囲に相当する範囲が含まれる第２の画像データにおける前記範囲を切り出す切り出し手段と、
前記指定手段により指定された前記第１の画像データの前記類似度判定範囲と、前記切り出し手段により切り出された前記第２の画像データにおける該類似度判定範囲に相当する前記範囲との類似度を判定する類似度判定手段と、
を有することを特徴とする。